(57)【要約】【課題】取り込んだ空気を除湿又は加湿して室内へ供給する調湿装置（10）のユーザーの快適性を向上させる。【解決手段】ユーザーからの運転指令に基づいて湿度調節した空気を室内へ供給する通常運転と、ユーザーによって通常運転の停止指令が入力された状態で湿度調節した空気を室内へ供給する蓄湿運転とが実行可能に調湿装置（10）を構成する。蓄湿運転は、ユーザーが室内に不在の状態でも実行される。これにより、室内の湿度調節がユーザーが室内に不在の状態でも行われる。【選択図】図１
2006349209.tif 000002
【特許請求の範囲】
【請求項１】
吸着剤に空気中の水分を吸着させる吸着動作と、吸着剤から水分を脱離させる再生動作とを行って空気の湿度を調節し、湿度調節した空気を室内へ供給する調湿装置であって、
ユーザーからの運転指令に基づいて湿度調節した空気を室内へ供給する通常運転と、
ユーザーによって上記通常運転の停止指令が入力された状態で湿度調節した空気を室内へ供給する蓄湿運転とが実行可能になっていることを特徴とする調湿装置。
【請求項２】
請求項１において、
取り込んだ室内空気及び室外空気の一方を上記吸着動作で除湿して他方を上記再生動作で吸着剤から脱離した水分で加湿し、除湿された空気及び加湿された空気の一方を室内へ供給して他方を室外へ排出するように構成され、
上記通常運転中には、取り込んで湿度調節した室外空気を室内へ供給し且つ取り込んだ室内空気を室外へ排出する換気調湿動作を行う一方、
上記蓄湿運転中には、取り込んで湿度調節した室内空気を室内へ供給し且つ取り込んだ室外空気を室外へ排出する循環調湿動作を行うことを特徴とする調湿装置。
【請求項３】
請求項２において、
上記蓄湿運転では、上記吸着動作において吸着剤と接触する空気の流量が上記再生動作において吸着剤と接触する空気の流量よりも多くなっていることを特徴とする調湿装置。
【請求項４】
請求項１において、
取り込んだ室内空気及び室外空気の一方を上記吸着動作で除湿して他方を上記再生動作で吸着剤から脱離した水分で加湿し、除湿された空気及び加湿された空気の一方を室内へ供給して他方を室外へ排出するように構成され、
上記通常運転中には、取り込んで湿度調節した室外空気を室内へ供給し且つ取り込んだ室内空気を室外へ排出する換気調湿動作を行う一方、
上記蓄湿運転中には、取り込んで湿度調節した室内空気を室内へ供給し且つ取り込んだ室外空気を室外へ排出する循環調湿動作と上記換気調湿動作とを選択的に行うことを特徴とする調湿装置。
【請求項５】
請求項４において、
上記蓄湿運転中の換気調湿動作では、室内空気の量と室外空気の量が同じ値に設定させることを特徴とする調湿装置。
【請求項６】
請求項１乃至５の何れか１つにおいて、
室外の湿度を検出する室外湿度検出手段と、
上記室外湿度検出手段の検出値に基づいて次の通常運転時の室外の湿度を予測する湿度予測手段（63）と、
上記湿度予測手段（63）による次の通常運転時の室外の予測湿度に基づいて上記蓄湿運転における調湿能力を調節する制御手段（62）とを備えていることを特徴とする調湿装置。
【請求項７】
請求項１乃至５の何れか１つにおいて、
通信手段を用いて次の通常運転時の室外の予測湿度を取り込む通信部を備え、
上記通信部が取り込んだ次の通常運転時の室外の予測湿度に基づいて上記蓄湿運転における調湿能力を調節する制御手段（62）とを備えていることを特徴とする調湿装置。
【発明の詳細な説明】
【技術分野】
【０００１】
本発明は、室内の湿度調節を行うための調湿装置に関するものである。
【背景技術】
【０００２】
従来より、取り込んだ空気を除湿又は加湿して室内へ供給する調湿装置が知られている（例えば特許文献１）。調湿装置は、ユーザーからの運転指令に基づいて運転を実行し、停止指令に基づいて運転を停止するように構成されている。
【０００３】
具体的に、特許文献１には、室外空気を湿度調節して室内へ供給すると同時に室内空気を室外へ排出する調湿装置が開示されている。この調湿装置は、吸着剤に空気中の水分を吸着させる吸着動作と吸着剤から水分を脱離させる再生動作とを行って空気の湿度を調節するように構成されている。
【０００４】
この調湿装置には、吸着剤を担持する吸着熱交換器が２つ接続された冷媒回路が設けられている。この冷媒回路では、冷媒が循環して冷凍サイクルが行われる。上記２つの吸着熱交換器は、一方の吸着熱交換器が蒸発器として機能し、他方の吸着熱交換器が凝縮器として機能する。そして、蒸発器となる吸着熱交換器では吸着動作が行われ、凝縮器となる吸着熱交換器では再生動作が行われる。
【特許文献１】特開２００４−２９４０４８号公報
【発明の開示】
【発明が解決しようとする課題】
【０００５】
ところで、上述したように、調湿装置は、ユーザーからの運転指令が入力されると、その運転を開始する。しかし、調湿装置の起動から室内がユーザーにとって快適な湿度に達するまでには、ある程度の時間が必要である。このため、ユーザーの入力から快適な湿度に達するまでの間は、ユーザーに不快感を与えてしまうおそれがある。
【０００６】
特に、上記の特許文献１のように換気を行う調湿装置では、湿度調節した空気が換気に伴い室外へ排出されてしまうので、調湿装置の起動から室内を所定の湿度に調節するまでに比較的長い時間が必要となる場合がある。
【０００７】
本発明は、斯かる点に鑑みてなされたものであり、その目的とするところは、取り込んだ空気を除湿又は加湿して室内へ供給する調湿装置のユーザーの快適性を向上させることにある。
【課題を解決するための手段】
【０００８】
第１の発明は、吸着剤に空気中の水分を吸着させる吸着動作と、吸着剤から水分を脱離させる再生動作とを行って空気の湿度を調節し、湿度調節した空気を室内へ供給する調湿装置（10）を対象とする。そして、ユーザーからの運転指令に基づいて湿度調節した空気を室内へ供給する通常運転と、ユーザーによって上記通常運転の停止指令が入力された状態で湿度調節した空気を室内へ供給する蓄湿運転とが実行可能になっている。
【０００９】
第１の発明では、通常運転と蓄湿運転とが実行可能になっており、蓄湿運転が実行されると、ユーザーによって通常運転の停止指令が入力された状態でも湿度調節した空気が室内へ供給される。蓄湿運転は、ユーザーが室内に不在の状態でも実行される。これにより、室内の湿度調節がユーザーが室内に不在の状態でも行われる。例えば、ユーザーが室内に不在の状態で加湿すると、室内空気に含まれる水分の量が増し、その水分の一部は室内のカーペットや壁紙などに吸着される。つまり、水分が室内に蓄積される。また、ユーザーが室内に不在の状態で除湿すると、室内空気だけでなくカーペットや壁紙なども乾燥した状態になる。
【００１０】
第２の発明は、第１の発明において、取り込んだ室内空気及び室外空気の一方を上記吸着動作で除湿して他方を上記再生動作で吸着剤から脱離した水分で加湿し、除湿された空気及び加湿された空気の一方を室内へ供給して他方を室外へ排出するように構成され、上記通常運転中には、取り込んで湿度調節した室外空気を室内へ供給し且つ取り込んだ室内空気を室外へ排出する換気調湿動作を行う一方、上記蓄湿運転中には、取り込んで湿度調節した室内空気を室内へ供給し且つ取り込んだ室外空気を室外へ排出する循環調湿動作を行う。
【００１１】
第２の発明では、ユーザーからの運転指令に基づく通常運転中は換気調湿動作が行れ、ユーザーが不在の状態でも室内の湿度調節が行われる蓄湿運転中は循環調湿動作が行われる。換気調湿動作では、ユーザーにとって必要な換気が行われるが、換気に伴い湿度調節した空気が室外へ排出される。循環調湿動作では、換気は行われないが、湿度調節した空気は室外へ排出されずに室内で循環される。つまり、第２の発明では、換気が必要でないユーザーが室内に不在の状態で蓄湿運転を行う際は、湿度調節した空気が室外へ排出されない循環調湿動作を行うようにしている。
【００１２】
第３の発明は、第２の発明において、上記蓄湿運転では、上記吸着動作において吸着剤と接触する空気の流量が上記再生動作において吸着剤と接触する空気の流量よりも多くなっている。
【００１３】
第３の発明では、蓄湿運転の際に、吸着剤に接触する空気の流量が、再生動作より吸着動作の方が多くなるようにしている。ここで、空気中の水分を吸着剤に吸着させる場合には、吸着剤と接触する空気の湿度が低いほど空気中の水分が吸着剤に吸着されにくくなる。このため、吸着剤が吸着する水分量を確保するには、吸着剤と接触する空気の流量を多くして空気の湿度低下をできるだけ抑えるのが望ましい。そこで、この第３の発明では、蓄湿運転の吸着動作中の吸着剤と接触する空気の流量を多くし、吸着剤と接触する間における空気の湿度低下をできるだけ少なくし、吸着剤が吸着する水分を増大させるようにしている。
【００１４】
第４の発明は、第１の発明において、取り込んだ室内空気及び室外空気の一方を上記吸着動作で除湿して他方を上記再生動作で吸着剤から脱離した水分で加湿し、除湿された空気及び加湿された空気の一方を室内へ供給して他方を室外へ排出するように構成され、上記通常運転中には、取り込んで湿度調節した室外空気を室内へ供給し且つ取り込んだ室内空気を室外へ排出する換気調湿動作を行う一方、上記蓄湿運転中には、取り込んで湿度調節した室内空気を室内へ供給し且つ取り込んだ室外空気を室外へ排出する循環調湿動作と上記換気調湿動作とを選択的に行う。
【００１５】
第４の発明では、蓄湿運転中に循環調湿動作と換気調湿動作とが選択的に行われる。循環調湿動作では、室内空気が湿度調節されて室内へ供給され、換気調湿動作では、室外空気が湿度調節されて室内へ供給される。
【００１６】
第５の発明は、第４の発明において、上記蓄湿運転中の換気調湿動作では、室内空気の量と室外空気の量が同じ値に設定させる。
【００１７】
第５の発明では、換気調湿動作で蓄湿運転を行う際に、室外空気の量と室内空気の量とが同じ値に設定される。そして、この状態で換気調湿動作の蓄湿運転が行われると、室内は室外との間に圧力差がない等圧の状態になり、室内空間の隙間を通って室内と室外で空気が入れ換わることが抑制される。
【００１８】
第６の発明は、第１乃至第５の何れか１つの発明において、室外の湿度を検出する室外湿度検出手段と、上記室外湿度検出手段の検出値に基づいて次の通常運転時の室外の湿度を予測する湿度予測手段（63）と、上記湿度予測手段（63）による次の通常運転時の室外の予測湿度に基づいて上記蓄湿運転における調湿能力を調節する制御手段（62）とを備えている。
【００１９】
第６の発明では、次の通常運転時の室外の湿度が湿度予測手段（63）に基づいて予測され、制御手段（62）がその予測湿度に基づいて蓄湿運転における調湿能力を調節する。ここで、本発明のように換気を行う調湿装置（10）は、室外の湿度によって調湿装置（10）の運転効率が変化する。従って、上記予測湿度からは、次の通常運転における調湿装置（10）の運転効率が推測される。この第６の発明では、制御手段（62）が、次の通常運転における運転効率に基づいて蓄湿運転における調湿能力を調節している。
【００２０】
第７の発明は、第１乃至第５の何れか１つの発明において、通信手段を用いて次の通常運転時の室外の予測湿度を取り込む通信部を備え、上記通信部が取り込んだ次の通常運転時の室外の予測湿度に基づいて上記蓄湿運転における調湿能力を調節する制御手段（62）とを備えている。
【００２１】
第７の発明では、次の通常運転時の室外の予測湿度が通信部によって取り込まれ、制御手段（62）がその予測湿度に基づいて蓄湿運転における調湿能力を調節する。この第７の発明では、上記第６の発明と同様に、次の通常運転における調湿装置（10）の運転効率が、上記予測湿度から推測される。蓄湿運転における調湿能力は、次の通常運転における運転効率に基づいて調節される。
【発明の効果】
【００２２】
本発明では、ユーザーが室内に不在の状態でも室内の湿度調節が行われるように、ユーザーによって通常運転の停止指令が入力された状態でも湿度調節した空気を室内へ供給する蓄湿運転が実行可能になっている。これにより、ユーザーが室内に入室するまでに、室内の湿度調節を予め行わせて、加湿の場合は室内の空気やカーペットなどに水分を蓄積しておくことができ、除湿の場合は室内の空気やカーペットなどを乾燥した状態にしておくことができる。従って、室内の湿度をユーザーにとって快適な湿度に予め調節しておくことができるので、ユーザーがいる状態では室内を常に快適な湿度にすることができる。さらには、加湿の場合はカーペットなどに蓄積された水分が通常運転の際に部屋に供給され、除湿の場合は乾燥した状態のカーペットなどが室内の空気を除湿するので、通常運転のおける調湿装置（10）の負荷を軽減させることができる。
【００２３】
また、上記第２の発明では、換気が必要でないユーザー不在の状態で行われる蓄湿運転において、湿度調節した空気が室外へ排出されない循環調湿動作が行われるようにしている。ここで、循環調湿動作は、湿度調節した空気が室外へ排出されないので、ほとんどの場合において換気調湿動作よりも室内の湿度調節を効率的に行うことができる。つまり、この第２の発明では、換気が必要でないユーザー不在の状態では、換気に伴って調湿装置（10）の運転効率が低下しないようにしている。これにより、調湿装置（10）の運転効率を向上させることができる。
【００２４】
また、上記第３の発明では、蓄湿運転の吸着動作中において、吸着剤が吸着する水分量が増大するようにしている。これにより、蓄湿運転において、加湿の場合は単位時間当たりに室内へ供給する水分量を増やすことができ、除湿の場合は室内から除去する水分の量を増やすことができる。従って、蓄湿運転では湿度調節が効率的に行われるので、調湿装置（10）の運転効率を向上させることができる。
【００２５】
また、上記第５の発明では、蓄湿運転の際に、室内空間の隙間を通って室内と室外で空気が入れ換わることが抑制されるように、室内を室外との間に圧力差がない等圧の状態にしている。ここで、室内の圧力が室外よりも大きい陽圧の状態では、湿度調節した空気が室内空間の隙間から室外へ排出されやすくなる。また、室内の圧力が室外よりも小さい陰圧の状態では、室内空間の隙間から室外の空気が室内へ流入しやくなる。つまり、第５の発明によれば、湿度調節した空気が室外へ排出されることや、室外の空気が湿度調節されずに室内へ導入されることを抑制して、室内の湿度調節を効率的に行うことができるようにしている。これにより、蓄湿運転の際の調湿装置（10）の運転効率が向上するので、調湿装置（10）の運転効率を向上させることができる。
【００２６】
また、上記第６又は第７の各発明では、制御手段（62）が、次の通常運転における調湿装置（10）の運転効率に基づいて蓄湿運転における調湿能力を調節している。これにより、蓄湿運転における運転効率を通常運転における運転効率と比較して、蓄湿運転における室内の湿度調節量を決定することができる。従って、通常運転と蓄湿運転とで運転効率が高い方の湿度調節量の割合を多くすることができるので、調湿装置（10）の運転効率を向上させることができる。
【発明を実施するための最良の形態】
【００２７】
以下、本発明の実施形態を図面に基づいて詳細に説明する。
【００２８】
《発明の実施形態》
本発明の実施形態について説明する。本実施形態の調湿装置（10）は、室内を除湿する除湿運転と、室内を加湿する加湿運転と、室内空気（RA）と室外空気（OA）とを入れ換える換気運転とを行う調湿装置である。また、この調湿装置（10）は、除湿運転と加湿運転において、室外空気（OA）を調湿して室内へ供給すると同時に室内空気（RA）を室外に排出する換気調湿動作と、室内空気（RA）を湿度調節して室内へ供給すると同時に室外空気（OA）を室外に排出する循環調湿動作とを選択的に行うことができるように構成されている。換気調湿動作では、換気運転と同様に室内空気（RA）と室外空気（OA）とが入れ換えられる。
【００２９】
また、この調湿装置（10）は、夜間にユーザーが不在になる室内空間（例えばオフィス）を対象として設置されており、ユーザーからの運転指令に基づいて湿度調節した空気を室内へ供給する通常運転と、ユーザーによって通常運転の停止指令が入力された状態で湿度調節した空気を室内へ供給する蓄湿運転とを行うように構成されている。通常運転では、換気調湿動作で室内の湿度調節が行われる。その際、１時間当たりの換気量が、室内空間の容積の２倍になるように調節される。また、蓄湿運転では、循環調湿動作で室内の湿度調節が行われる。蓄湿運転は、ユーザーが室内に不在の状態でも行われる。なお、調湿装置（10）の制御は後述する制御部（60）で行われる。
【００３０】
〈調湿装置の全体構成〉
上記調湿装置（10）について、図１及び図２を参照しながら説明する。尚、ここでの説明で用いる「上」「下」「左」「右」「前」「後」「手前」「奥」は、特にことわらない限り、上記調湿装置（10）を前面側から見た場合の方向を意味している。
【００３１】
上記調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００３２】
上記ケーシング（11）は、やや扁平で高さが比較的低い直方体状に形成されている。このケーシング（11）では、図１における左手前側に前面パネル（12）が、同図における右奥側に背面パネル（13）がそれぞれ立設されており、同図における左手前から右奥へ向かう方向の長さと右手前から左奥へ向かう方向の長さがほぼ等しくなっている。
【００３３】
ケーシング（11）の前面パネル（12）では、左寄りの位置に排気口（21）が、右寄りの位置に給気口（22）がそれぞれ開口している。ケーシング（11）の背面パネル（13）の中央部には上寄りの位置に外気吸込口（23）が、下寄りのの位置に内気吸込口（24）がそれぞれ開口している。
【００３４】
上記ケーシング（11）の内部空間は、前面パネル（12）側の比較的容積が小さい部分と、背面パネル（13）側の比較的容積が大きい部分とに区画されている。
【００３５】
上記ケーシング（11）内における前面パネル（12）側の空間は、左右２つの空間に仕切られている。この左右に仕切られた空間は、左寄りの空間が排気ファン室（35）を、右寄りの空間が給気ファン室（36）をそれぞれ構成している。排気ファン室（35）は、排気口（21）を介して室外空間と連通している。この排気ファン室（35）には排気ファン（25）が収容されており、排気ファン（25）の吹出口が排気口（21）に接続されている。一方、給気ファン室（36）は、給気口（22）を介して室内空間と連通している。この給気ファン室（36）には、給気ファン（26）が収容されており、給気ファン（26）の吹出口が給気口（22）に接続されている。また、給気ファン室（36）には、圧縮機（53）も収容されている。
【００３６】
一方、上記ケーシング（11）内の背面パネル（13）側の空間は、ケーシング（11）内に立設された第１仕切板（16）及び第２仕切板（17）によって前後３つの空間に仕切られている。これら仕切板（16,17）は、ケーシング（11）の左右方向に延びている。第１仕切板（16）はケーシング（11）の背面寄りに、第２仕切板（17）はケーシング（11）の前面寄りにそれぞれ配置されている。
【００３７】
上記ケーシング（11）内において、第１仕切板（16）の奥の空間は上下２つの空間に仕切られており、上側の空間が外気側流路（32）を、下側の空間が内気側流路（34）をそれぞれ構成している。外気側流路（32）は、外気吸込口（23）を介して室外空間と連通している。内気側流路（34）は内気吸込口（24）を介して室内と連通している。一方、第２仕切板（17）の手前の空間は上下２つの空間に仕切られており、上側の空間が排気側流路（31）を、下側の空間が給気側流路（33）を構成している。排気側流路（31）は、排気ファン室（35）と連通している。給気側流路（33）は、給気ファン室（36）と連通している。
【００３８】
第１仕切板（16）と第２仕切板（17）との間の空間は、更に中央仕切板（18）によって左右２つの空間に仕切られている。そして、中央仕切板（18）の右側の空間が第１熱交換器室（37）を構成し、その左側の空間が第２熱交換器室（38）を構成している。第１熱交換器室（37）には第１吸着熱交換器（51）が、第２熱交換器室（38）には第２吸着熱交換器（52）がそれぞれ収容されている。これら２つの吸着熱交換器（51,52）は、それぞれが収容される熱交換器室（37,38）を左右方向へ横断するように配置されている。
【００３９】
上記第１仕切板（16）には、開閉式のダンパ（41〜44）が４つ設けられている。具体的に、第１仕切板（16）では、右側の上部に第１ダンパ（41）が、左側の上部に第２ダンパ（42）が、右側の下部に第３ダンパ（43）が、左側の下部に第４ダンパ（44）がそれぞれ取り付けられている。第１ダンパ（41）を開くと、外気側流路（32）と第１熱交換器室（37）が連通する。第２ダンパ（42）を開くと、外気側流路（32）と第２熱交換器室（38）が連通する。第３ダンパ（43）を開くと、内気側流路（34）と第１熱交換器室（37）が連通する。第４ダンパ（44）を開くと、内気側流路（34）と第２熱交換器室（38）が連通する。
【００４０】
上記第２仕切板（17）には、開閉式のダンパ（45〜48）が４つ設けられている。具体的に、第２仕切板（17）では、右側の上部に第５ダンパ（45）が、左側の上部に第６ダンパ（46）が、右側の下部に第７ダンパ（47）が、左側の下部に第８ダンパ（48）がそれぞれ取り付けられている。第５ダンパ（45）を開くと、排気側流路（31）と第１熱交換器室（37）が連通する。第６ダンパ（46）を開くと、排気側流路（31）と第２熱交換器室（38）が連通する。第７ダンパ（47）を開くと、給気側流路（33）と第１熱交換器室（37）が連通する。第８ダンパ（48）を開くと、給気側流路（33）と第２熱交換器室（38）が連通する。
【００４１】
また、この調湿装置（10）には、図示しないが、調湿装置（10）が室内から取り込む室内空気（RA）の温度及び湿度をそれぞれ計測する内気温度センサ及び内気湿度センサと、調湿装置（10）が室外から取り込む室外空気（OA）の温度及び湿度をそれぞれ計測する外気温度センサ及び外気湿度センサとが設けられている。外気湿度センサは、本発明に係る室外湿度検出手段を構成している。これらのセンサの検出値は後述する調湿制御部（62）に送信される。また、外気湿度センサの検出温度は、後述する湿度予測部（63）にも送信される。
【００４２】
〈冷媒回路の構成〉
上記冷媒回路（50）について、図３を参照しながら説明する。
【００４３】
上記冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００４４】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００４５】
上記四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００４６】
図４に示すように、第１吸着熱交換器（51）及び第２吸着熱交換器（52）は、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、各フィン（57）を貫通するように設けられている。
【００４７】
上記各吸着熱交換器（51,52）では、各フィン（57）の表面に吸着剤が担持されており、フィン（57）の間を通過する空気がフィン（57）に担持された吸着剤と接触する。この吸着剤としては、ゼオライト、シリカゲル、活性炭、親水性の官能基を有する有機高分子材料など、空気中の水蒸気を吸着できるものが用いられる。
【００４８】
<制御部の構成>
この調湿装置（10）の制御部（60）には、調湿装置（10）の運転を制御する運転制御部（61）と、調湿能力を制御する調湿制御部（62）と、外気湿度センサの計測値に基づいて次の通常運転時の室外の湿度を予測する湿度予測部（63）とが設けられている。調湿制御部（62）は本発明に係る制御手段を構成し、湿度予測部（63）は本発明に係る湿度予測手段を構成している。運転制御部（61）には、図示しないが、ユーザーからの運転指令又は停止指令を入力する電源スイッチが設けられている。調湿制御部（62）には、図示しないが、ユーザーが希望の室内湿度を入力する湿度入力部と、ユーザーが希望の室内温度を入力する温度入力部とが設けられている。
【００４９】
運転制御部（61）は、ユーザーからの運転指令が電源スイッチに入力されると調湿装置（10）に通常運転を開始させ、ユーザーからの停止指令が電源スイッチに入力されると調湿装置（10）の通常運転を停止させる。また、運転制御部（61）は、ユーザーによって通常運転の停止指令が入力された状態であっても、第１の時刻（例えば午前３時）から第２の時刻（例えば午前８時）の間に、調湿装置（10）に蓄湿運転を行わせる。また、運転制御部（61）は、蓄湿運転の際に、調湿装置（10）の調湿能力に対してＣＯＰ（成績係数）が最も高い室内空気（RA）の風量（給気ファン（26）の風量）を選択するように構成されている。
【００５０】
湿度入力部は、希望の室内湿度を「低」「中」「高」の３段階の中から選択可能に構成されている。調湿制御部（62）には、「低」「中」「高」のそれぞれに対応する相対湿度の範囲が予め設定されている。湿度入力部に「低」「中」「高」の何れかが入力されていると、調湿制御部（62）は、通常運転又は蓄湿運転の際に、その入力に対応する相対湿度の範囲を目標湿度（例えば５０％〜６０％）に設定する。また、調湿制御部（62）は、温度入力部に希望の室内温度が入力されていると、通常運転又は蓄湿運転の際に、その希望の室内温度を目標温度（例えば２５℃）に設定する。
【００５１】
調湿制御部（62）は、演算部を備えている。演算部は、目標湿度（蓄湿運転では後述する調湿目標値）及び目標温度からその温度と湿度における絶対湿度を算出する。調湿制御部（62）は、演算部で算出した絶対湿度を目標絶対湿度に設定し、室内の絶対湿度が目標絶対湿度に近づくように調湿装置（10）の調湿能力を調節する。
【００５２】
湿度予測部（63）は、外気湿度センサの検出湿度を受信する。そして、湿度予測部（63）は、外気湿度センサの検出湿度の変化に基づいて次の通常運転時の室外の湿度を予測する。なお、湿度予測部（63）には、「次の通常運転が開始される予定時刻」として、第２の時刻が設定されている。つまり、湿度予測部（63）は、第２の時刻における室外の湿度を予測している。
【００５３】
−運転動作−
本実施形態の調湿装置（10）では、除湿運転と加湿運転と換気運転とが行われる。この調湿装置（10）は、除湿運転と加湿運転の際に、室外空気（OA）を湿度調節して室内へ供給すると同時に室内空気（RA）を室外に排出する換気調湿動作と、室内空気（RA）を湿度調節して室内へ供給すると同時に室外空気（OA）を室外に排出する循環調湿動作との何れかを実行可能に構成されている。換気調湿動作では、室内の換気を行っている。循環調湿動作では、湿度調節した空気が供給される室内の空気を取り込んで湿度調節することで濃縮除湿又は加湿を行っている。なお、換気運転は、給気ファン（26）及び排気ファン（25）を運転させるだけであるため説明は省略する。
【００５４】
〈除湿運転〉
この調湿装置では、除湿運転を換気調湿動作及び循環調湿動作の何れかで行うことができる。そして、何れの動作の場合も、除湿運転中の調湿装置（10）では、第１動作と第２動作が所定の時間間隔（例えば３分間隔）で交互に繰り返される。
【００５５】
<<換気調湿動作>>
換気調湿動作で除湿運転を行う場合について説明する。
【００５６】
まず、除湿運転の換気調湿動作時の第１動作について説明する。図５に示すように、この第１動作中には、第２ダンパ（42）、第３ダンパ（43）、第５ダンパ（45）、及び第８ダンパ（48）だけが開状態となり、残りのダンパ（41,44,46,47）が閉状態となる。そして、この状態で調湿装置（10）の給気ファン（26）及び排気ファン（25）が運転される。給気ファン（26）を運転すると、室外空気が外気吸込口（23）からケーシング（11）内へ第１空気として取り込まれる。排気ファン（25）を運転すると、室内空気が内気吸込口（24）からケーシング（11）内へ第２空気として取り込まれる。
【００５７】
この第１動作中の冷媒回路（50）では、図３(Ａ)に示すように、四方切換弁（54）が第１状態に設定される。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。
【００５８】
外気吸込口（23）から外気側流路（32）へ流入した第１空気は、第２ダンパ（42）を通って第２熱交換器室（38）へ流入し、その後に第２吸着熱交換器（52）を通過する。第２吸着熱交換器（52）では、吸着動作により第１空気中の水分が吸着剤に吸着され、その際に生じた吸着熱が冷媒に吸熱される。第２吸着熱交換器（52）で除湿された第１空気は、第８ダンパ（48）を通って給気側流路（33）へ流入し、給気ファン室（36）を通過後に給気口（22）を通って室内へ供給される。
【００５９】
一方、内気吸込口（24）から内気側流路（34）へ流入した第２空気は、第３ダンパ（43）を通って第１熱交換器室（37）へ流入し、その後に第１吸着熱交換器（51）を通過する。第１吸着熱交換器（51）では、再生動作により冷媒で加熱された吸着剤から水分が脱離し、この脱離した水分が第２空気に付与される。第１吸着熱交換器（51）で水分を付与された第２空気は、第５ダンパ（45）を通って排気側流路（31）へ流入し、排気ファン室（35）を通過後に排気口（21）を通って室外へ排出される。
【００６０】
除湿運転の換気調湿動作時の第２動作について説明する。図６に示すように、この第２動作中には、第１ダンパ（41）、第４ダンパ（44）、第６ダンパ（46）、及び第７ダンパ（47）だけが開状態となり、残りのダンパ（42,43,45,48）が閉状態となる。
【００６１】
この第２動作中の冷媒回路（50）では、図３(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第１吸着熱交換器（51）が蒸発器となって第２吸着熱交換器（52）が凝縮器となる。
【００６２】
外気吸込口（23）から外気側流路（32）へ流入した第１空気は、第１ダンパ（41）を通って第１熱交換器室（37）へ流入し、その後に第１吸着熱交換器（51）を通過する。第１吸着熱交換器（51）では、吸着動作により第１空気中の水分が吸着剤に吸着され、その際に生じた吸着熱が冷媒に吸熱される。第１吸着熱交換器（51）で除湿された第１空気は、第７ダンパ（47）を通って給気側流路（33）へ流入し、給気ファン室（36）を通過後に給気口（22）を通って室内へ供給される。
【００６３】
一方、内気吸込口（24）から内気側流路（34）へ流入した第２空気は、第４ダンパ（44）を通って第２熱交換器室（38）へ流入し、その後に第２吸着熱交換器（52）を通過する。第２吸着熱交換器（52）では、再生動作により冷媒で加熱された吸着剤から水分が脱離し、この脱離した水分が第２空気に付与される。第２吸着熱交換器（52）で水分を付与された第２空気は、第６ダンパ（46）を通って排気側流路（31）へ流入し、排気ファン室（35）を通過後に排気口（21）を通って室外へ排出される。
【００６４】
<<循環調湿動作>>
循環調湿動作で除湿運転を行う場合について説明する。
【００６５】
まず、除湿運転の循環調湿動作時の第１動作について説明する。図７に示すように、この第１動作中には、第１ダンパ（41）、第４ダンパ（44）、第５ダンパ（45）、及び第８ダンパ（48）だけが開状態となり、残りのダンパ（42,43,46,47）が閉状態となる。そして、この状態で調湿装置（10）の給気ファン（26）及び排気ファン（25）が運転される。給気ファン（26）を運転すると、室内空気が内気吸込口（24）からケーシング（11）内へ第１空気として取り込まれる。排気ファン（25）を運転すると、室外空気が外気吸込口（23）からケーシング（11）内へ第２空気として取り込まれる。
【００６６】
この第１動作中の冷媒回路（50）では、図３(Ａ)に示すように、四方切換弁（54）が第１状態に設定される。そして、この冷媒回路（50）では、除湿運転の換気調湿動作における第１動作中と同様に、第１吸着熱交換器（51）が凝縮器となって第２吸着熱交換器（52）が蒸発器となる。
【００６７】
内気吸込口（24）から内気側流路（34）へ流入した第１空気は、第４ダンパ（44）を通って第２熱交換器室（38）へ流入し、その後に第２吸着熱交換器（52）を通過する。第２吸着熱交換器（52）では、吸着動作により第１空気中の水分が吸着剤に吸着され、その際に生じた吸着熱が冷媒に吸熱される。第２吸着熱交換器（52）で除湿された第１空気は、第８ダンパ（48）を通って給気側流路（33）へ流入し、給気ファン室（36）を通過後に給気口（22）を通って室内へ供給される。
【００６８】
一方、外気吸込口（23）から外気側流路（32）へ流入した第２空気は、第１ダンパ（41）を通って第１熱交換器室（37）へ流入し、その後に第１吸着熱交換器（51）を通過する。第１吸着熱交換器（51）では、再生動作により冷媒で加熱された吸着剤から水分が脱離し、この脱離した水分が第２空気に付与される。第１吸着熱交換器（51）で水分を付与された第２空気は、第５ダンパ（45）を通って排気側流路（31）へ流入し、排気ファン室（35）を通過後に排気口（21）を通って室外へ排出される。
【００６９】
除湿運転の循環調湿動作時の第２動作について説明する。図８に示すように、この第２動作中には、第２ダンパ（42）、第３ダンパ（43）、第６ダンパ（46）、及び第７ダンパ（47）だけが開状態となり、残りのダンパ（41,44,45,48）が閉状態となる。
【００７０】
この第２動作中の冷媒回路（50）では、図３(Ｂ)に示すように、四方切換弁（54）が第２状態に設定される。そして、この冷媒回路（50）では、除湿運転の換気調湿動作における第２動作中と同様に、第１吸着熱交換器（51）が蒸発器となって第２吸着熱交換器（52）が凝縮器となる。
【００７１】
内気吸込口（24）から内気側流路（34）へ流入した第１空気は、第３ダンパ（43）を通って第１熱交換器室（37）へ流入し、その後に第１吸着熱交換器（51）を通過する。第１吸着熱交換器（51）では、吸着動作により第１空気中の水分が吸着剤に吸着され、その際に生じた吸着熱が冷媒に吸熱される。第１吸着熱交換器（51）で除湿された第１空気は、第７ダンパ（47）を通って給気側流路（33）へ流入し、給気ファン室（36）を通過後に給気口（22）を通って室内へ供給される。
【００７２】
一方、外気吸込口（23）から外気側流路（32）へ流入した第２空気は、第２ダンパ（42）を通って第２熱交換器室（38）へ流入し、その後に第２吸着熱交換器（52）を通過する。第２吸着熱交換器（52）では、再生動作により冷媒で加熱された吸着剤から水分が脱離し、この脱離した水分が第２空気に付与される。第２吸着熱交換器（52）で水分を付与された第２空気は、第６ダンパ（46）を通って排気側流路（31）へ流入し、排気ファン室（35）を通過後に排気口（21）を通って室外へ排出される。
【００７３】
〈加湿運転〉
この調湿装置では、加湿運転を換気調湿動作及び循環調湿動作の何れかで行うことができる。そして、何れの動作の場合も、加湿運転中の調湿装置（10）では、第１動作と第２動作が所定の時間間隔（例えば３分間隔）で交互に繰り返される。
【００７４】
<<換気調湿動作>>
換気調湿動作で加湿運転を行う場合について説明する。
【００７５】
まず、加湿運転の換気調湿動作時の第１動作について説明する。図９に示すように、この第１動作中には、第１ダンパ（41）、第４ダンパ（44）、第６ダンパ（46）、及び第７ダンパ（47）だけが開状態となり、残りのダンパ（42,43,45,48）が閉状態となる。そして、この状態で調湿装置（10）の給気ファン（26）及び排気ファン（25）が運転される。給気ファン（26）を運転すると、室外空気が外気吸込口（23）からケーシング（11）内へ第１空気として取り込まれる。排気ファン（25）を運転すると、室内空気が内気吸込口（24）からケーシング（11）内へ第２空気として取り込まれる。
【００７６】
この第１動作中の冷媒回路（50）では、図３(Ａ)に示すように、四方切換弁（54）が第１状態に設定される。そして、この冷媒回路（50）では、除湿運転の換気調湿動作における第１動作中と同様に、第１吸着熱交換器（51）が凝縮器となって第２吸着熱交換器（52）が蒸発器となる。
【００７７】
内気吸込口（24）から内気側流路（34）へ流入した第１空気は、第４ダンパ（44）を通って第２熱交換器室（38）へ流入し、その後に第２吸着熱交換器（52）を通過する。第２吸着熱交換器（52）では、吸着動作により第１空気中の水分が吸着剤に吸着され、その際に生じた吸着熱が冷媒に吸熱される。第２吸着熱交換器（52）で水分を奪われた第１空気は、第６ダンパ（46）を通って排気側流路（31）へ流入し、排気ファン室（35）を通過後に排気口（21）を通って室外へ排出される。
【００７８】
一方、外気吸込口（23）から外気側流路（32）へ流入した第２空気は、第１ダンパ（41）を通って第１熱交換器室（37）へ流入し、その後に第１吸着熱交換器（51）を通過する。第１吸着熱交換器（51）では、再生動作により冷媒で加熱された吸着剤から水分が脱離し、この脱離した水分が第２空気に付与される。第１吸着熱交換器（51）で加湿された第２空気は、第７ダンパ（47）を通って給気側流路（33）へ流入し、給気ファン室（36）を通過後に給気口（22）を通って室内へ供給される。
【００７９】
加湿運転の換気調湿動作時の第２動作について説明する。図１０に示すように、この第２動作中には、第２ダンパ（42）、第３ダンパ（43）、第５ダンパ（45）、及び第８ダンパ（48）だけが開状態となり、残りのダンパ（41,44,46,47）が閉状態となる。
【００８０】
この第２動作中の冷媒回路（50）では、図３(Ｂ)に示すように、四方切換弁（54）が第２状態に設定される。そして、この冷媒回路（50）では、除湿運転の換気調湿動作における第２動作中と同様に、第１吸着熱交換器（51）が蒸発器となって第２吸着熱交換器（52）が凝縮器となる。
【００８１】
内気吸込口（24）から内気側流路（34）へ流入した第１空気は、第３ダンパ（43）を通って第１熱交換器室（37）へ流入し、その後に第１吸着熱交換器（51）を通過する。第１吸着熱交換器（51）では、吸着動作により第１空気中の水分が吸着剤に吸着され、その際に生じた吸着熱が冷媒に吸熱される。第１吸着熱交換器（51）で水分を奪われた第１空気は、第５ダンパ（45）を通って排気側流路（31）へ流入し、排気ファン室（35）を通過後に排気口（21）を通って室外へ排出される。
【００８２】
一方、外気吸込口（23）から外気側流路（32）へ流入した第２空気は、第２ダンパ（42）を通って第２熱交換器室（38）へ流入し、その後に第２吸着熱交換器（52）を通過する。第２吸着熱交換器（52）では、再生動作により冷媒で加熱された吸着剤から水分が脱離し、この脱離した水分が第２空気に付与される。第２吸着熱交換器（52）で加湿された第２空気は、第８ダンパ（48）を通って給気側流路（33）へ流入し、給気ファン室（36）を通過後に給気口（22）を通って室内へ供給される。
【００８３】
<<循環調湿動作>>
循環調湿動作で加湿運転を行う場合について説明する。
【００８４】
まず、加湿運転の循環調湿動作時の第１動作について説明する。図１１に示すように、この第１動作中には、第２ダンパ（42）、第３ダンパ（43）、第６ダンパ（46）、及び第７ダンパ（47）だけが開状態となり、残りのダンパ（41,44,45,48）が閉状態となる。そして、この状態で調湿装置（10）の給気ファン（26）及び排気ファン（25）が運転される。給気ファン（26）を運転すると、室内空気が内気吸込口（24）からケーシング（11）内へ第１空気として取り込まれる。排気ファン（25）を運転すると、室外空気が外気吸込口（23）からケーシング（11）内へ第２空気として取り込まれる。
【００８５】
この第１動作中の冷媒回路（50）では、図３(Ａ)に示すように、四方切換弁（54）が第１状態に設定される。そして、この冷媒回路（50）では、除湿運転の換気調湿動作における第１動作中と同様に、第１吸着熱交換器（51）が凝縮器となって第２吸着熱交換器（52）が蒸発器となる。
【００８６】
外気吸込口（23）から外気側流路（32）へ流入した第１空気は、第２ダンパ（42）を通って第２熱交換器室（38）へ流入し、その後に第２吸着熱交換器（52）を通過する。第２吸着熱交換器（52）では、吸着動作により第１空気中の水分が吸着剤に吸着され、その際に生じた吸着熱が冷媒に吸熱される。第２吸着熱交換器（52）で除湿された第１空気は、第６ダンパ（46）を通って排気側流路（31）へ流入し、排気ファン室（35）を通過後に排気口（21）を通って室外へ排出される。
【００８７】
一方、内気吸込口（24）から内気側流路（34）へ流入した第２空気は、第３ダンパ（43）を通って第１熱交換器室（37）へ流入し、その後に第１吸着熱交換器（51）を通過する。第１吸着熱交換器（51）では、再生動作により冷媒で加熱された吸着剤から水分が脱離し、この脱離した水分が第２空気に付与される。第１吸着熱交換器（51）で水分を付与された第２空気は、第７ダンパ（47）を通って給気側流路（33）へ流入し、給気ファン室（36）を通過後に給気口（22）を通って室内へ供給される。
【００８８】
加湿運転の循環調湿動作時の第２動作について説明する。図１２に示すように、この第２動作中には、第１ダンパ（41）、第４ダンパ（44）、第５ダンパ（45）、及び第８ダンパ（48）だけが開状態となり、残りのダンパ（42,43,46,47）が閉状態となる。
【００８９】
この第２動作中の冷媒回路（50）では、図３(Ｂ)に示すように、四方切換弁（54）が第２状態に設定される。そして、この冷媒回路（50）では、除湿運転の換気調湿動作における第２動作中と同様に、第１吸着熱交換器（51）が蒸発器となって第２吸着熱交換器（52）が凝縮器となる。
【００９０】
外気吸込口（23）から外気側流路（32）へ流入した第１空気は、第１ダンパ（41）を通って第１熱交換器室（37）へ流入し、その後に第１吸着熱交換器（51）を通過する。第１吸着熱交換器（51）では、吸着動作により第１空気中の水分が吸着剤に吸着され、その際に生じた吸着熱が冷媒に吸熱される。第１吸着熱交換器（51）で除湿された第１空気は、第５ダンパ（45）を通って排気側流路（31）へ流入し、排気ファン室（35）を通過後に排気口（21）を通って室外へ排出される。
【００９１】
一方、内気吸込口（24）から内気側流路（34）へ流入した第２空気は、第４ダンパ（44）を通って第２熱交換器室（38）へ流入し、その後に第２吸着熱交換器（52）を通過する。第２吸着熱交換器（52）では、再生動作により冷媒で加熱された吸着剤から水分が脱離し、この脱離した水分が第２空気に付与される。第２吸着熱交換器（52）で水分を付与された第２空気は、第８ダンパ（48）を通って給気側流路（33）へ流入し、給気ファン室（36）を通過後に給気口（22）を通って室内へ供給される。
【００９２】
<制御部の動作>
制御部（60）の動作について説明する。
【００９３】
運転制御部（61）は、ユーザーから運転指令が電源スイッチに入力されると調湿装置（10）に通常運転を開始させ、ユーザーから停止指令が電源スイッチに入力されると調湿装置（10）の通常運転を停止させる。また、運転制御部（61）は、ユーザーによって通常運転の停止指令が入力された状態であっても、第１の時刻（例えば午前３時）から第２の時刻（例えば午前８時）の間に、調湿装置（10）に蓄湿運転を行わせる。
【００９４】
調湿装置（10）の蓄湿運転について説明する。まず、第１の時刻になると、湿度予測部（63）が、第２の時刻における室外の湿度を予測する。具体的に、湿度予測部（63）は、所定の時間間隔（例えば３０分間隔）で外気湿度センサの検出湿度を受信している。湿度予測部（63）は、第１の時刻の所定時間前（例えば６時間前）から第１の時刻までの外気湿度センサの検出湿度の変化に基づいて第２の時刻における室外の湿度を予測する。
【００９５】
続いて、調湿制御部（62）が、第２の時刻における予測湿度に基づいて調湿装置（10）の調湿目標値を決定する。具体的に、調湿制御部（62）は、第２の時刻における予測湿度から、目標湿度の範囲（例えば５０％〜６０％）内で、調湿目標値を決定する。室内を除湿する場合で、第２の時刻における予測湿度が低いと予測される場合は、通常運転における運転効率が高くなるので調湿目標値は高めの値に決定され、第２の時刻における予測湿度が高いと予測される場合は、通常運転における運転効率が低くなるので調湿目標値は低めの値に決定される。また、室内を加湿する場合で、第２の時刻における予測湿度が低いと予測される場合は、通常運転における運転効率が低くなるので調湿目標値は高めの値に決定され、第２の時刻における予測湿度が高いと予測される場合は、通常運転における運転効率が高くなるので調湿目標値は低めの値に決定される。
【００９６】
調湿制御部（62）は、第２の時刻に室内の湿度が調湿目標値に達するように調湿能力を制御する。調湿装置（10）の調湿能力は、調湿目標値及び目標温度と、外気温度センサの検出温度及び外気湿度センサの検出湿度と、内気温度センサの検出温度及び内気湿度センサの検出湿度とに基づいて制御される。具体的に、調湿制御部（62）は、演算部で調湿目標値及び目標温度からその湿度と温度における絶対湿度を算出し、その算出した絶対湿度を目標絶対湿度に設定する。また、演算部は、外気温度センサの検出温度及び外気湿度センサの検出湿度から室外空気（OA）の絶対湿度を算出する。さらに、演算部は、内気温度センサの検出温度及び内気湿度センサの検出湿度から室内空気（RA）の絶対湿度を算出する。調湿制御部（62）は、室外空気（OA）及び室内空気（RA）の絶対湿度と上記目標絶対湿度とに基づいて、第２の時刻に室内の湿度が目標絶対湿度に達するように調湿装置（10）の調湿能力を制御する。なお、この調湿装置（10）の調湿能力の制御は、例えば圧縮機（53）の運転周波数を変更して冷媒循環量を変化させることによって行われる。
【００９７】
運転制御部（61）は、蓄湿運転の開始時の調湿能力に基づいて、ＣＯＰ（成績係数）が最も高くなる循環調湿動作の室内空気（RA）の風量（給気ファン（26）の風量）を選択する。具体的に、運転制御部（61）には、例えば図１３に示すような調湿能力に対するＣＯＰの値のグラフが、室内空気（RA）及び室外空気（OA）の条件（温度、湿度）ごとに予め記憶されている。運転制御部（61）は、記憶されているグラフを用いて、ＣＯＰが最も高い室内空気（RA）の風量を選択する。
【００９８】
例えば、室内空気及び室外空気の条件が図１３のグラフと同じ条件の場合では、調湿制御部（62）は、調湿制御部（62）で決定した調湿能力がＣ１以下の値であれば、「風量３００（ｍ3／ｈ）」を選択する。調湿能力がＣ１とＣ２の間の値であれば「風量４００（ｍ3／ｈ）」を選択する。調湿能力がＣ２以上の値であれば「風量５００（ｍ3／ｈ）」を選択する。なお、蓄湿運転中に調湿制御部（62）で調湿能力が変更されると、運転制御部（61）はこの室内空気（RA）の風量を選択する動作を再び行う。
【００９９】
運転制御部（61）は、室内空気（RA）の風量を選択すると圧縮機（53）を起動させる。圧縮機（53）の運転周波数は、調湿制御部（62）によって制御される。また、運転制御部（61）は、排気ファン（25）及び給気ファン（26）を起動させる。運転制御部（61）は、運転制御部（61）で決定された風量に給気ファン（26）を制御する。排気ファン（25）の風量は、再生動作よりも吸着動作の方が吸着剤に接触する空気の流量を多くなるように、運転制御部（61）によって制御される。具体的に、運転制御部（61）は、除湿運転では給気ファン（26）よりも少ない風量に排気ファン（25）を制御し、加湿運転では給気ファン（26）よりも多い風量に排気ファン（25）を制御する
調湿装置（10）の通常運転について説明する。運転制御部（61）は、ユーザーからの運転指令が電源スイッチに入力されると、調湿装置（10）の通常運転を開始させる。その際、運転制御部（61）は、目標湿度と内気湿度センサの検出湿度とに基づいて、除湿又は加湿運転を行うか、換気運転を行うかを決定する。
【０１００】
具体的に、運転制御部（61）は、内気湿度センサの検出湿度が目標湿度の範囲内であるときには、換気運転の実行を決定し、内気湿度センサの検出湿度が目標湿度の範囲外であるときには、除湿又は加湿運転の実行を決定する。なお、除湿又は加湿運転は、ユーザーが在室しており換気が必要になるため、換気調湿動作で行われる。また、運転制御部（61）は、換気運転の実行中に所定の時間間隔（例えば５分間隔）で内気湿度センサの検出湿度を観察し、内気湿度センサの検出湿度が目標湿度の範囲外になると、除湿又は加湿運転への移行を決定する。
【０１０１】
調湿制御部（62）は、運転制御部（61）が除湿又は加湿運転の実行を決定すると、調湿装置（10）の調湿能力を決定する。具体的に、調湿制御部（62）は、演算部で目標温度及び目標湿度からその温度と湿度における絶対湿度を算出し、その算出した絶対湿度を目標絶対湿度に設定する。また、演算部は、外気温度センサの検出温度及び外気湿度センサの検出湿度から室外空気（OA）の絶対湿度を算出する。さらに、演算部は、内気温度センサの検出温度及び内気湿度センサの検出湿度から室内空気（RA）の絶対湿度を算出する。調湿制御部（62）は、室外空気（OA）及び室内空気（RA）の絶対湿度と、上記目標絶対湿度とに基づいて、室内の絶対湿度が目標絶対湿度に近づくように調湿装置（10）の調湿能力を制御する。この調湿装置（10）の調湿能力の制御は、例えば圧縮機（53）の運転周波数を変更して冷媒循環量を変化させることによって行われる。
【０１０２】
なお、運転制御部（61）は、除湿又は加湿運転の実行中に所定の時間間隔（例えば５分間隔）で内気湿度センサの検出湿度を観察し、内気湿度センサの検出湿度が目標湿度の範囲内になると、換気運転への移行を決定する。また、運転制御部（61）は、ユーザーからの停止指令が電源スイッチに入力されると、調湿装置（10）の通常運転を停止させる。
【０１０３】
−実施形態の効果−
上記実施形態では、ユーザーが室内に不在の状態でも室内の湿度調節が行われるように、ユーザーによって通常運転の停止指令が入力された状態でも湿度調節した空気を室内へ供給する蓄湿運転が実行可能になっている。これにより、ユーザーが室内に入室するまでに、室内の湿度調節を予め行わせて、加湿の場合は室内の空気やカーペットなどに水分を蓄積しておくことができ、除湿の場合は室内の空気やカーペットなどを乾燥した状態にしておくことができる。従って、室内の湿度をユーザーにとって快適な湿度に予め調節しておくことができるので、ユーザーがいる状態では室内を常に快適な湿度にすることができる。さらには、加湿の場合はカーペットなどに蓄積された水分が通常運転の際に部屋に供給され、除湿の場合は乾燥した状態のカーペットなどが室内の空気を除湿するので、通常運転のおける調湿装置（10）の負荷を軽減させることができる。
【０１０４】
また、上記実施形態では、換気が必要でないユーザー不在の状態で行われる蓄湿運転において、湿度調節した空気が室外へ排出されない循環調湿動作が行われるようにしている。ここで、循環調湿動作は、湿度調節した空気が室外へ排出されないので、ほとんどの場合において換気調湿動作よりも室内の湿度調節を効率的に行うことができる。つまり、この実施形態では、換気が必要でないユーザー不在の状態では、換気に伴って調湿装置（10）の運転効率が低下しないようにしている。これにより、調湿装置（10）の運転効率を向上させることができる。
【０１０５】
また、上記実施形態では、蓄湿運転の際に、再生動作よりも吸着動作の方が吸着剤に接触する空気の流量を多くなるように、運転制御部（61）が排気ファン（25）及び給気ファン（26）を制御している。これにより、蓄湿運転の吸着動作中において、吸着剤が吸着する水分量が増大し、加湿の場合は単位時間当たりに室内へ供給する水分量を増やすことができ、除湿の場合は室内から除去する水分の量を増やすことができる。従って、蓄湿運転では湿度調節が効率的に行われるので、調湿装置（10）の運転効率を向上させることができる。
【０１０６】
また、上記実施形態では、調湿制御部（62）が、湿度予測部（63）が予測した第２の時刻における室外の予測湿度に基づいて通常運転における運転効率を想定し、蓄湿運転における湿度調節量を決定している。これにより、通常運転と蓄湿運転とで運転効率が高い方の湿度調節量の割合を多くすることができるので、調湿装置（10）の運転効率を向上させることができる。
【０１０７】
−実施形態の変形例１−
実施形態の変形例１について説明する。この変形例１では、通信手段を用いて次の通常運転時である第２の時刻における室外の予測湿度を取り込む通信部が、上記実施形態の湿度予測部（63）の代わりに設けられている。
【０１０８】
通信部は、例えば通信手段であるインターネットを用いて、第２の時刻における室外の予測湿度を取り込むように構成されている。通信部が第２の時刻における予測湿度を取り込むと、上記実施形態と同様に調湿制御部（62）が、その予測湿度に基づいて調湿目標値を決定する。
【０１０９】
−実施形態の変形例２−
実施形態の変形例２について説明する。この変形例２では、蓄湿運転中の冷媒回路（50）における第１動作と第２動作の切り換えの時間間隔が、上記実施形態に比べて短い時間間隔（例えば１分間隔）なっている。
【０１１０】
この変形例２によれば、この切り換えの時間を短くすることで、顕熱処理量に対して潜熱処理量の割合が高くなる高潜熱運転を行うことができる。これにより、吸着動作及び再生動作で消費されるエネルギーうち空気の湿度調節に用いられるエネルギーの割合が増加するので、蓄湿運転で室内の湿度調節が効率的に行われる。
【０１１１】
−実施形態の変形例３−
実施形態の変形例３について説明する。この変形例３では、運転制御部（61）が、蓄湿運転中に換気調湿動作と循環調湿動作とを選択可能に構成されている。
【０１１２】
具体的に、運転制御部（61）は、換気調湿動作と循環調湿動作とを比較してＣＯＰが高い方の動作を選択する。例えば、運転制御部（61）は、調湿装置（10）の調湿能力に対して、風量３００（ｍ3／ｈ）から風量５００（ｍ3／ｈ）の換気調湿動作と、風量３００（ｍ3／ｈ）から風量５００（ｍ3／ｈ）の循環調湿動作との中からＣＯＰが最も高い動作を選択する（図１４参照）。
【０１１３】
なお、ＣＯＰは、ほとんどの場合に換気調湿動作よりも循環調湿動作の方が高くなる。しかし、除湿運転では、「室外空気（OA）が室内空気（RA）よりも低温で、室外空気（OA）が室内空気（RA）よりも少し高湿の場合」、「室外空気（OA）が室内空気（RA）よりも低温で、室外空気（OA）と室内空気（RA）の湿度が同程度の場合」、「室外空気（OA）と室内空気（RA）の温度が同程度で、室外空気（OA）が室内空気（RA）よりも少し低湿の場合」に、換気調湿動作の方がＣＯＰが高くなる場合がある。
【０１１４】
また、運転制御部（61）は、換気調湿動作で蓄湿運転を行う際は、室外から室内へ導入される室内空気（RA）の量と、室内から室外へ排出される室外空気（OA）の量とが同じ値になるように、排気ファン（25）の風量を給気ファン（26）と同じ値に設定する。
【０１１５】
この変形例３では、蓄湿運転の際に、室内空間の隙間を通って室内と室外で空気が入れ換わることが抑制されるように、室内を室外との間に圧力差がない等圧の状態にしている。これにより、湿度調節した空気が室外へ排出されることや、室外の空気が湿度調節されずに室内へ導入されることが抑制される。従って、蓄湿運転において室内の湿度調節を効率的に行うことができるので、調湿装置（10）の運転効率を向上させることができる。
【０１１６】
−実施形態の変形例４−
実施形態の変形例４について説明する。この変形例４では、調湿装置（10）が、蓄湿運転の際に、所定量（例えば室内空間の容積の半分の量）の換気を行うように構成されている。
【０１１７】
具体的に、運転制御部（61）は、１時間のうちに換気調湿動作と循環調湿動作とを組合せて蓄湿運転を調湿装置（10）に行わせる。まず、運転制御部（61）は、調湿装置（10）の調湿能力に基づいて、ＣＯＰが最も高くなる換気調湿動作の室内空気（RA）の風量を決定する。そして、運転制御部（61）は、所定の換気量に達するまで調湿装置（10）に換気調湿動作を実行させる。
【０１１８】
所定の換気量に達すると、運転制御部（61）は、調湿装置（10）調湿能力に基づいて、ＣＯＰが最も高くなる循環調湿動作の室内空気（RA）の風量を決定する。そして、運転制御部（61）は、１時間のうちの残りの時間を調湿装置（10）に循環調湿動作を実行させる。なお、室外空気（OA）と室内空気（RA）の条件によっては換気調湿動作の方が循環調湿動作よりもＣＯＰが高くなる場合があるので、その場合は調湿装置（10）に換気調湿動作を継続させてもよい。
【０１１９】
−実施形態の変形例５−
実施形態の変形例５について説明する。この変形例５では、調湿装置（10）が設定されたスケジュールに基づいて通常運転を行う。通常運転のスケジュールは、ユーザーからの運転指令として運転制御部（61）に設定されている。運転制御部（61）には、通常運転の開始時刻と通常運転の停止時刻とを設定する図外の設定部が設けられている。設定部は、この開始時刻と停止時刻とがユーザーによって変更可能に構成されている。
【０１２０】
《その他の実施形態》
上記実施形態の調湿装置（10）について、夜間に蓄湿運転を行うのではなく、昼間であっても室内にユーザーが不在の状態で換気を行う必要がなければ蓄湿運転を行うようにしてもよい。
【０１２１】
また、上記実施形態の調湿装置（10）をフロアに複数設置し、換気の必要がないエリアを対象とする調湿装置（10）は、蓄湿運転を行うようにしてもよい。
【０１２２】
また、上記実施形態では、調湿装置（10）が次のように構成されていてもよい。ここでは、調湿装置（10）の変形例について説明する。
【０１２３】
−第１変形例−
図１５に示すように、第１変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。この冷媒回路（100）は、熱源手段を構成している。第１吸着素子（111）及び第２吸着素子（112）は、ゼオライト等の吸着剤を備えており、それぞれ吸着部材を構成している。また、各吸着素子（111,112）には多数の空気通路が形成されており、この空気通路を通過する際に空気が吸着剤と接触する。
【０１２４】
この調湿装置（10）は、第１動作と第２動作を繰り返す。図１５(Ａ)に示すように、第１動作中の調湿装置（10）は、凝縮器（102）で加熱された空気を第１吸着素子（111）へ供給して吸着剤を再生する一方、第２吸着素子（112）に水分を奪われた空気を蒸発器（104）で冷却する。また、図１５(Ｂ)に示すように、第２動作中の調湿装置（10）は、凝縮器（102）で加熱された空気を第２吸着素子（112）へ供給して吸着剤を再生する一方、第１吸着素子（111）に水分を奪われた空気を蒸発器（104）で冷却する。そして、この調湿装置（10）は、吸着素子（111,112）を通過する際に除湿された空気を室内へ供給する除湿運転と、吸着素子（111,112）を通過する際に加湿された空気を室内へ供給する加湿運転とを切り換えて行う。
【０１２５】
−第２変形例−
図１６に示すように、第２変形例の調湿装置（10）は、調湿ユニット（150）を備えている。この調湿ユニット（150）は、ペルチェ素子（153）と一対の吸着フィン（151,152）とを備えている。吸着フィン（151,152）は、いわゆるヒートシンクの表面にゼオライト等の吸着剤を担持させたものである。この吸着フィン（151,152）は、吸着部材を構成している。ペルチェ素子（153）は、その一方の面に第１吸着フィン（151）が、他方の面に第２吸着フィン（152）がそれぞれ接合されている。ペルチェ素子（153）に直流を流すと、２つの吸着フィン（151,152）の一方が吸熱側になって他方が放熱側になる。このペルチェ素子（153）は、熱源手段を構成している。
【０１２６】
この調湿装置（10）は、第１動作と第２動作を繰り返す。第１動作中の調湿ユニット（150）は、放熱側となった第１吸着フィン（151）の吸着剤を再生して空気を加湿する一方、吸熱側となった第２吸着フィン（152）の吸着剤に水分を吸着させて空気を除湿する。また、第１動作中の調湿ユニット（150）は、放熱側となった第２吸着フィン（152）の吸着剤を再生して空気を加湿する一方、吸熱側となった第１吸着フィン（151）の吸着剤に水分を吸着させて空気を除湿する。そして、この調湿装置（10）は、調湿ユニット（150）を通過する際に除湿された空気を室内へ供給する除湿運転と、調湿ユニット（150）を通過する際に加湿された空気を室内へ供給する加湿運転とを切り換えて行う。
【０１２７】
なお、以上の実施形態は、本質的に好ましい例示であって、本発明、その適用物、あるいはその用途の範囲を制限することを意図するものではない。
【産業上の利用可能性】
【０１２８】
以上説明したように、本発明は、室内の湿度調節を行うための調湿装置について有用である。
【図面の簡単な説明】
【０１２９】
【図１】実施形態の調湿装置の構成を示す斜視図である。
【図２】実施形態の調湿装置の概略構成を示す平面視、右側面視、及び左側面視の構成図である。
【図３】実施形態の冷媒回路の構成を示す配管系統図であって、(Ａ)は第１動作中の動作を示すものであり、(Ｂ)は第２動作中の動作を示すものである。
【図４】吸着熱交換器の概略斜視図である。
【図５】除湿運転の換気調湿動作における第１動作中の空気の流れを示す調湿装置の概略構成図である。
【図６】除湿運転の換気調湿動作における第２動作中の空気の流れを示す調湿装置の概略構成図である。
【図７】除湿運転の循環調湿動作における第１動作中の空気の流れを示す調湿装置の概略構成図である。
【図８】除湿運転の循環調湿動作における第２動作中の空気の流れを示す調湿装置の概略構成図である。
【図９】加湿運転の換気調湿動作における第１動作中の空気の流れを示す調湿装置の概略構成図である。
【図１０】加湿運転の換気調湿動作における第２動作中の空気の流れを示す調湿装置の概略構成図である。
【図１１】加湿運転の循環調湿動作における第１動作中の空気の流れを示す調湿装置の概略構成図である。
【図１２】加湿運転の循環調湿動作における第２動作中の空気の流れを示す調湿装置の概略構成図である。
【図１３】調湿能力に対するＣＯＰの値のグラフである（循環調湿動作の場合）。
【図１４】調湿能力に対するＣＯＰの値のグラフである（循環調湿動作と換気調湿動作の場合）。
【図１５】その他の実施形態の第１変形例における調湿装置の概略構成図であって、(Ａ)は第１動作中の動作を示すものであり、(Ｂ)は第２動作中の動作を示すものである。
【図１６】その他の実施形態の第２変形例における調湿ユニットの概略斜視図である。
【符号の説明】
【０１３０】
10  調湿装置
62  調湿制御部（制御手段）
63  湿度予測部（湿度予測手段）
【図１】
2006349209.tif 000003
【図２】
2006349209.tif 000004
【図３】
2006349209.tif 000005
【図４】
2006349209.tif 000006
【図５】
2006349209.tif 000007
【図６】
2006349209.tif 000008
【図７】
2006349209.tif 000009
【図８】
2006349209.tif 000010
【図９】
2006349209.tif 000011
【図１０】
2006349209.tif 000012
【図１１】
2006349209.tif 000013
【図１２】
2006349209.tif 000014
【図１３】
2006349209.tif 000015
【図１４】
2006349209.tif 000016
【図１５】
2006349209.tif 000017
【図１６】
2006349209.tif 000018